(57)【要約】【課題】パルス変調方式により光源を駆動する場合に発生しやすい画像劣化を抑えることができる投写型映像表示装置を提供する。【解決手段】プロジェクタは、３つの光源２０１Ｒ、２０１Ｇ、２０１Ｂと、これら光源２０１Ｒ、２０１Ｇ、２０１Ｂからの光を変調するＤＭＤ４０と、ＤＭＤ４０へ光を導く導光光学系３０と、ＤＭＤ４０により変調された光を拡大投写する投写光学ユニット５０と、各光源２０１Ｒ、２０１Ｇ、２０１Ｂをパルス幅変調方式により駆動するＬＥＤ駆動回路７０と、ＤＭＤ４０を駆動するＤＭＤ駆動回路６０３と、ＤＭＤ駆動回路６０３により生成された駆動信号をＤＭＤ４０へ出力する出力端子部６０４とを備える。ここで、出力端子部６０４は、本体キャビネット１０内の第１領域に配置されるとともに、ＬＥＤ駆動回路７０は第１領域の対角方向に配される第２領域に配置される。【選択図】図３
2011227402.tif 000002
【特許請求の範囲】
【請求項１】
投写型映像表示装置において、
光源と、
前記光源からの光を変調する光変調素子と、
前記光源からの光を前記光変調素子へ導く導光光学部と、
前記光変調素子により変調された光を拡大投写するための投写光学部と、
前記光源をパルス変調方式により駆動するための光源駆動部と、
前記光変調素子を駆動するための変調素子駆動部と、
前記変調素子駆動部により生成された駆動信号を前記光変調素子へ出力するための出力部と、を備え、
前記出力部は本体キャビネット内の第１領域に配置されるとともに、前記光源駆動部は前記第１領域の対角方向に配される第２領域に配置される、
ことを特徴とする投写型映像表示装置。
【請求項２】
請求項１に記載の投写型映像表示装置において
前記光源が複数備えられるとともに、
前記複数の光源のうち、駆動電流が最も大きな光源が、前記光源駆動部の最も近くに配置される、
ことを特徴とする投写型映像表示装置。
【請求項３】
請求項２に記載の投写型映像表示装置において、
前記複数の光源は、赤色波長帯の光を出射する赤色光源と、緑色波長帯の光を出射する緑色光源と、青色波長帯の光を出射する青色光源とを含み、
前記複数の光源のうち、赤色光源が前記光源駆動部の最も近くに配置される、
ことを特徴とする投写型映像表示装置。
【請求項４】
請求項１ないし３の何れか一項に記載の投写型映像表示装置において、
前記出力部と前記光源駆動部との間には、電磁波を遮蔽するための遮蔽部が設けられる、
ことを特徴とする投写型映像表示装置。
【請求項５】
請求項１ないし４の何れか一項に記載の投写型映像表示装置において、
前記投写光学部は、レンズユニットと、前記レンズユニットの出射面側に設けられた曲面ミラーとを備え、
前記光源駆動部は、前記曲面ミラーの側方に配置される、
ことを特徴とする投写型映像表示装置。
【発明の詳細な説明】
【技術分野】
【０００１】
本発明は、光変調素子により変調した光を拡大投写する投写型映像表示装置に関する。
【背景技術】
【０００２】
従来、光源からの光を光変調素子により変調し、これにより生成した光（以下、「映像光」という）を被投写面に投写する投写型映像表示装置（以下、「プロジェクタ」という）が知られている。
【０００３】
この種のプロジェクタにおいて、光変調素子には、たとえばＤＭＤ（DigitalMicro-mirror Device）が用いられ得る。ＤＭＤは、多数のマイクロミラーが平面上に配列された構成を有している。これらマイクロミラーが、映像信号に応じてオン・オフ駆動され、マイクロミラーの傾斜角度が切り替えられることにより、光源からの光が変調される。また、光源には、たとえば、ＬＥＤ光源が用いられ得る（たとえば、特許文献１参照）。
【０００４】
かかるプロジェクタでは、画像の高輝度化を図るために、高出力のＬＥＤ光源を用いることが考えられる。この場合、消費電力を抑えて効率よく高輝度化を図るために、パルス変調方式の駆動回路を用いてＬＥＤ光源を駆動することが望ましい。パルス変調方式には、たとえば、パルス幅変調方式（ＰＷＭ：Pulse Width Modulation）やパルス振幅波形変調方式（ＰＡＭ：Pulse Amplitude Modulation）がある。
【先行技術文献】
【特許文献】
【０００５】
【特許文献１】特開２００９−３６８２３号公報
【発明の概要】
【発明が解決しようとする課題】
【０００６】
高出力のＬＥＤ光源をパルス変調方式（ＰＷＭ、ＰＡＭ）により駆動する場合には、比較的高い電流値による変調が行われる。このため、ＬＥＤ光源の駆動回路（特に、ケーブルとの接続部）や、駆動回路とＬＥＤ光源を結ぶケーブルにおいて電磁場によるノイズ（以下、「ＥＭＩノイズ」という）が発生しやすい。
【０００７】
光変調素子には、対応する駆動回路からマイクロミラーの駆動信号、即ち、マイクロミラーを高速にオン・オフする信号が出力される。発生したＥＭＩノイズが光変調素子への駆動信号に重畳されると、マイクロミラーが適正に駆動されず、この結果、投写される画像の階調に狂いが生じ、画質が劣化する惧れがある。
【０００８】
本発明は、このような課題を解消するためになされたものであり、特に大電流にてパルス変調方式により光源を駆動する場合に発生しやすい画像劣化を抑えることができる投写型映像表示装置を提供することを目的とする。
【課題を解決するための手段】
【０００９】
本発明の投写型映像表示装置は、光源と、前記光源からの光を変調する光変調素子と、前記光源からの光を前記光変調素子へ導く導光光学部と、前記光変調素子により変調された光を拡大投写するための投写光学部と、前記光源をパルス変調方式により駆動するための光源駆動部と、前記光変調素子を駆動するための変調素子駆動部と、前記変調素子駆動部により生成された駆動信号を前記光変調素子へ出力するための出力部とを備える。前記出力部は、本体キャビネット内の第１領域に配置されるとともに、前記光源駆動部は前記
第１領域の対角方向に配される第２領域に配置される。
【００１０】
本発明の投写型映像表示装置によれば、光変調素子へ駆動信号を出力するための出力部を、光源駆動部から極力離して配置することができるので、光源駆動部で発生したＥＭＩノイズが、光変調素子へ出力される駆動信号に重畳されるのを抑制することができる。
【００１１】
本発明の投写型映像表示装置は、前記光源を複数備えるような構成とされ得る。この場合、前記複数の光源のうち、駆動電流が最も大きな光源が、前記光源駆動部の最も近くに配置され得る。
【００１２】
たとえば、前記複数の光源が、赤色波長帯の光を出射する赤色光源と、緑色波長帯の光を出射する緑色光源と、青色波長帯の光を出射する青色光源とを含む場合には、前記複数の光源のうち、赤色光源が前記光源駆動部の最も近くに配置され得る。
【００１３】
光源駆動部と光源とを繋ぐケーブルから発生するＥＭＩノイズは、ケーブルに流れる駆動電流が大きいほど大きくなる。たとえば、赤色光源、緑色光源および青色光源が設けられている場合、これら光源の中で、導光光学部での損出が大きく、発光効率も低い赤色光源への駆動電流が最も大きくなる。このため、赤色光源へのケーブから発生するＥＭＩノイズが最も大きくなる。
【００１４】
上記構成によれば、最も大きな駆動電流を必要とする光源が光源駆動部の最も近くに配置されている。これにより、最も大きな駆動電流が流れるケーブルの長さを短くできるので、そのケーブルから発生するＥＭＩノイズを低減することができる。よって、全体として、ケーブルから発生するＥＭＩノイズを低減することができる。
【００１５】
本発明の投写型映像表示装置において、前記出力部と前記光源駆動部との間には、電磁波を遮蔽するための遮蔽部が設けられ得る。
【００１６】
このような構成とすれば、光源駆動部から出力部へ向かうＥＭＩノイズが遮蔽されるので、光変調素子駆動部への駆動信号にＥＭＩノイズが重畳されるのを一層抑制することができる。
【００１７】
本発明の投写型表示装置において、前記投写光学部は、レンズユニットと、前記レンズユニットの出射面側に設けられた曲面ミラーとを備えるような構成とされ得る。この場合、前記光源駆動部は、前記曲面ミラーの側方に配置され得る。
【００１８】
このような構成とすれば、レンズユニットと曲面ミラーの並び方向に投写光学部が長くなるため、曲面ミラーの側方にスペースが生じやすい。また、光変調素子は、レンズユニットの入射面側、即ち曲面ミラーと反対側に配置され、通常、その近くに出力部が配置されることとなる。よって、曲面ミラーの側方に生じるスペースを用いて光源駆動部を配置することにより、光源駆動部を、出力部と対角となるように円滑に配置することができる。
【発明の効果】
【００１９】
以上のとおり本発明によれば、特にパルス変調方式により光源を駆動する場合に発生しやすい画像劣化を抑制した投写型映像表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの外観構成を示す図である。
【図２】実施の形態に係るプロジェクタの内部構成を示す図である。
【図３】実施の形態に係るプロジェクタの内部構成を示す図である。
【図４】実施の形態に係るプロジェクタの構成を示すブロック図である。
【図５】実施の形態に係る赤色光源、緑色光源および青色光源の発光特性を示す図である。
【図６】変更例１に係るプロジェクタの構成を示す図である。
【図７】変更例２に係る光源装置および導光光学系の構成について説明するための図である。
【発明を実施するための形態】
【００２２】
以下、本発明の実施の形態につき図面を参照して説明する。
【００２３】
図１は、本実施の形態に係るプロジェクタ１の外観構成を示す図である。本実施の形態では、便宜上、プロジェクタ１から見てスクリーンのある方向を前、スクリーンと反対方向を後ろ、スクリーン側からプロジェクタ１を見て右方向を右、スクリーン側からプロジェクタ１を見て左方向を左、前後左右方向に垂直な方向であってプロジェクタ１からスクリーン側に向かう方向を上、その反対方向を下と定義する。
【００２４】
本実施の形態に係るプロジェクタは、いわゆる短焦点投写型のプロジェクタ１である。プロジェクタ１は、略方形状の本体キャビネット１０を備える。本体キャビネット１０の上面には、後方に向けて下る第１傾斜面１０１と、この第１傾斜面１０１に続いて後方に向けて上る第２傾斜面１０２が形成される。第２傾斜面１０２は上斜め前方を向いており、この第２傾斜面１０２に投写口１０３が形成される。投写口１０３から上斜め前方へ出射された映像光が、プロジェクタの前方に配されたスクリーンに拡大投写される。
【００２５】
図２および図３は、本実施の形態に係るプロジェクタの内部構成を示す図である。図２は、プロジェクタの斜視図であり、図３は、プロジェクタの平面図である。なお、図２および図３では、便宜上、本体キャビネット１０を一点鎖線にて表わす。
【００２６】
図３に示すように、上方から見て、キャビネット１０内は、２つの二点鎖線Ｌ１、Ｌ２によって４つの領域に区画され得る。以下、仮に、右前に形成される領域を第１領域、第１領域から対角の位置にある領域を第２領域、左前に形成される領域を第３領域、第３領域から対角の位置にある領域を第４領域と定義する。
【００２７】
図２および図３を参照して、本体キャビネット１０の内部には、光源装置２０と、導光光学系３０と、ＤＭＤ４０と、投写光学ユニット５０と、制御回路６０と、ＬＥＤ駆動回路７０とが配置される。
【００２８】
光源装置２０は、３つの光源ユニット２０Ｒ、２０Ｇ、２０Ｂを有する。赤色光源ユニット２０Ｒは、赤色波長帯の光（以下「Ｒ光」という）を出射する赤色光源２０１Ｒと、赤色光源２０１Ｒで発生した熱を放出するためのヒートシンク２０２Ｒとにより構成される。緑色光源ユニット２０Ｇは、緑色波長帯の光（以下「Ｇ光」という）を出射する緑色光源２０１Ｇと、緑色光源２０１Ｇで発生した熱を放出するためのヒートシンク２０２Ｇとにより構成される。青色光源ユニット２０Ｂは、青色波長帯の光（以下「Ｂ光」という）を出射する青色光源２０１Ｂと、青色光源２０１Ｂで発生した熱を放出するためのヒートシンク２０２Ｂとにより構成される。
【００２９】
各光源２０１Ｒ、２０１Ｇ、２０１Ｂは、高出力タイプのＬＥＤ光源であり、基板上に配されたＬＥＤ（赤色ＬＥＤ、緑色ＬＥＤ、青色ＬＥＤ）によって構成される。赤色ＬＥＤは、たとえば、ＡｌＧａＩｎＰ（アルミニウムインジウムガリウム）から構成され、緑色ＬＥＤおよび青色ＬＥＤは、たとえば、ＧａＮ（窒化ガイウム）から構成される。
【００３０】
導光光学系３０は、各光源２０１Ｒ、２０１Ｇ、２０１Ｂに対応して設けられた第１レンズ３０１Ｒ、３０１Ｇ、３０１Ｂおよび第２レンズ３０２Ｒ、３０２Ｇ、３０２Ｂと、ダイクロイックプリズム３０３と、中空のロッドインテグレータ（以下、中空ロッドと略す。）３０４と、２つのミラー３０５、３０７と、２つのリレーレンズ３０６、３０８とにより構成される。
【００３１】
各光源２０１Ｒ、２０１Ｇ、２０１Ｂからそれぞれ出射されたＲ光、Ｇ光およびＢ光は、第１レンズ３０１Ｒ、３０１Ｇ、３０１Ｂおよび第２レンズ３０２Ｒ、３０２Ｇ、３０２Ｂによって平行光化され、ダイクロイックプリズム３０４によって光路が合成される。
【００３２】
ダイクロイックプリズム３０４から出射された光（Ｒ光、Ｂ光、Ｇ光）は、中空ロッド３０４に入射する。中空ロッド３０４は、内部が中空であり、内側面がミラー面となっている。中空ロッド３０４は、入射端面側から出射端面側に向かって断面積が大きくなるテーパ形状を有する。中空ロッド３０４において、光は、ミラー面によって反射が繰り返され、出射端面における照度分布が均一化される。
【００３３】
なお、中空ロッド３０４を用いることによって、中実のロッドインテグレータよりも屈折率が小さい（空気の屈折率＜ガラスの屈折率）ので、ロッド長を短くすることが可能になる。
【００３４】
中空ロッド３０４から出射された光は、ミラー３０５、３０７による反射とリレーレンズ３０６、３０８によるレンズ作用によってＤＭＤ４０に照射される。
【００３５】
ＤＭＤ４０は、マトリクス状に配された複数のマイクロミラーを備える。１つのマイクロミラーは、１つの画素を構成する。マイクロミラーは、入射するＲ光、Ｇ光およびＢ光に対応するＤＭＤ駆動信号に基づいて、高速でオン・オフ駆動される。
【００３６】
マイクロミラーの傾斜角度が切り替えられることによって、各光源２０１Ｒ、２０１Ｇ、２０１Ｂからの光（Ｒ光、Ｇ光およびＢ光）が変調される。具体的には、ある画素のマイクロミラーがオフ状態の場合には、このマイクロミラーによる反射光はレンズユニット５０１には入射しない。一方、マイクロミラーがオン状態の場合には、このマイクロミラーによる反射光はレンズユニット５０１に入射する。マイクロミラーがオン状態にある時間の比率を調整することにより、画素ごとに画像の階調が調整される。
【００３７】
投写光学ユニット５０は、レンズユニット５０１および曲面ミラー５０２と、これらを収容するハウジング５０３とにより構成される。
【００３８】
ＤＭＤ４０によって変調された光（映像光）は、レンズユニット５０１を通り、曲面ミラー５０２へ出射される。映像光は、曲面ミラー５０２によって反射され、ハウジング５０３に形成された投写口１０３から外部へ出射される。
【００３９】
図４は、本実施の形態に係るプロジェクタの構成を示すブロック図である。
【００４０】
図４を参照して、制御回路６０は、信号入力回路６０１と、信号処理回路６０２と、ＤＭＤ駆動回路６０３とを含む。
【００４１】
信号入力回路６０１は、コンポジット信号、ＲＧＢ信号などの各種映像信号に対応する各種入力端子を介して入力された映像信号を信号処理回路６０２へ出力する。
【００４２】
信号処理回路６０２は、ＲＧＢ信号以外の映像信号をＲＧＢ信号に変換する処理や、入力した映像信号の解像度をＤＭＤ４０の解像度に変換するスケーリング処理、あるいは、ガンマ補正等の各種の補正処理を行う。そして、これら処理を施したＲＧＢ信号を、ＤＭＤ駆動回路６０３およびＬＥＤ駆動回路７０へ出力する。
【００４３】
信号処理回路６０２は、同期信号生成回路６０２ａを含む。同期信号生成回路６０２ａは、各光源２０１Ｒ、２０１Ｇ、２０１Ｂの駆動と、ＤＭＤ４０の駆動とを同期させるための同期信号を生成する。生成された同期信号は、ＤＭＤ駆動回路６０３およびＬＥＤ駆動回路７０へ出力される。
【００４４】
ＤＭＤ駆動回路６０３は、信号処理回路６０２からのＲＧＢ信号に基づいて、Ｒ光、Ｇ光およびＢ光に対応するＤＭＤ駆動信号（オンオフ信号）を生成する。そして、生成した各光に対応するＤＭＤ駆動信号を、同期信号に従って、１フレームの画像ごとに時分割にて順次ＤＭＤ４０へ出力する。
【００４５】
ＬＥＤ駆動回路７０は、信号処理回路６０２からのＲＧＢ信号に基づいて、光源２０１Ｒ、２０１Ｇ、２０１Ｂを駆動する。具体的には、ＬＥＤ駆動回路７０は、パルス幅変調方式（ＰＷＭ）によりＬＥＤ駆動信号を生成し、ＬＥＤ駆動信号（駆動電流）を各光源２０１Ｒ、２０１Ｇ、２０１Ｂに出力する。
【００４６】
即ち、ＬＥＤ駆動回路７０は、ＲＧＢ信号に基づいて、パルス波のデューティ比を調整することにより、各光源２０１Ｒ、２０１Ｇ、２０１Ｂから出力される光量を調整する。これにより、各光源２０１Ｒ、２０１Ｇ、２０１Ｂから出力される光量が、画像の色情報に応じて、１フレームの画像ごとに調整される。
【００４７】
また、ＬＥＤ駆動回路７０は、同期信号に従って、各光源にＬＥＤ駆動信号を出力する。これにより、各光源２０１Ｒ、２０１Ｇ、２０１Ｂから出射される光（Ｒ光、Ｇ光、Ｂ光）の発光タイミングと、それぞれの光に対応するＤＭＤ駆動信号がＤＭＤ４０へ出力されるタイミングとの同期を取ることができる。
【００４８】
即ち、Ｒ光に対応するＤＭＤ駆動信号が出力されている期間に、そのときの画像の色情報に適する光量のＲ光が、赤色光源２０１Ｒから出射される。同様に、Ｇ光に対応するＤＭＤ駆動信号の出力されている期間に、そのときの画像の色情報に適する光量のＧ光が、緑色光源２０１Ｇから出射される。さらに、Ｂ光に対応するＤＭＤ駆動信号の出力されている期間に、そのときの画像の色情報に適する光量のＢ光が、青色光源２０１Ｂから出射される。
【００４９】
画像の色情報に応じて各光源２０１Ｒ、２０１Ｇ、２０１Ｂから出射される光の光量を変えることにより、消費電力を抑えながら投写画像の高輝度化を図ることができる。
【００５０】
スクリーンには、Ｒ光、Ｇ光およびＢ光による画像が、順次、投写されることになる。しかしながら、これら画像の切り替わりが非常に高速で行われるため、ユーザの目にはちらつきのないカラー画像として映る。
【００５１】
図２および図３に戻り、光源ユニット２０Ｒ、２０Ｇ、２０Ｂ、導光光学系３０、ＤＭＤ４０、投写光学ユニット５０、制御回路６０およびＬＥＤ駆動回路７０は、本体キャビ
ネット１０の底面を取付面として、取付面上に配置される。
【００５２】
投写光学ユニット５０は、本体キャビネット１０の中央よりも右側面寄りであって、前後方向におけるほぼ中央から後部（第４領域）にかけて配置される。ここで、レンズユニット５０１はほぼ中央に位置し、曲面ミラー５０２は後部に位置する。
【００５３】
ＤＭＤ４０は、レンズユニット５０１の前方に配置される。即ち、ＤＭＤ４０は、本体キャビネット１０の中央よりも右側面寄りであって、前面の近く（第１領域）に配置される。
【００５４】
光源装置２０は、レンズユニット５０１およびＤＭＤ４０の左側方（第３領域）に配置される。３つの光源ユニット２０Ｒ、２０Ｇ、２０Ｂは、赤色光源２０１Ｒと青色光源２０１Ｂが、緑色光源２０１Ｇの上方であって、緑色光源２０１Ｇを挟んで互いに対向する位置関係となる。
【００５５】
ここで、投写光学ユニット５０において、曲面ミラー５０２は、本体キャビネット１０の底面から低い位置（第４領域下部）に配置されており、レンズユニット５０１は、曲面ミラーよりもやや高い位置（第４領域の中間高さ位置）に配置されている。また、ＤＭＤ４０は、本体キャビネット１０の底面から高い位置（第１領域上部）に配置されており、３つの光源２０１Ｒ、２０１Ｇ、２０１Ｂは、本体キャビネット１０の底面に対して低い位置（第３領域下部）に配置される。このため、導光光学系３０は、３つの光源２０１Ｒ、２０１Ｇ、２０１Ｂの配置位置からＤＭＤ４０の前方位置に亘って、各構成部品が配列されており、プロジェクタの前方から見て、直角に２つ折りした構成を有する。
【００５６】
即ち、第１レンズ３０１Ｒ、３０１Ｇ、３０１Ｂ、第２レンズ３０２Ｒ、３０２Ｇ、３０２Ｂおよびダイクロイックプリズム３０３は、３つの光源２０１Ｒ、２０１Ｇ、２０１Ｂで囲まれた領域内に配置される。中空ロッド３０４は、ダイクロイックプリズム３０３の上方に、上下方向に沿って配置される。そして、中空ロッド３０４の上方からレンズユニット５０１側に向かって、順にミラー３０５、リレーレンズ３０６、ミラー３０７が配置され、ミラー３０７とＤＭＤ４０の間に、リレーレンズ３０８が配置される。
【００５７】
このように、導光光学系３０は、各光源２０１Ｒ、２０１Ｇ、２０１Ｂから中空ロッド３０４により上方に導光された後、レンズユニット５０２へ屈曲する光路を有する。これにより、導光光学系３０の左右方向の長さが短くできるので、本体キャビネット１０の底面の面積を小さくすることが可能となる。よって、プロジェクタのコンパクト化を図ることが可能となる。
【００５８】
制御回路６０は、本体キャビネット１０の右側面近傍であって、前後方向におけるほぼ中央から前端にかけて配置される。制御回路６０は、所定のパターン配線が形成された基板上に各種の電装部品を実装されており、基板面が本体キャビネット１０の右側面に沿うように配置される。
【００５９】
制御回路６０の前端部であって、本体キャビネット１０の右前角部の位置（第１領域最端部）には、ＤＭＤ駆動回路６０３により生成されたＤＭＤ駆動信号が出力される出力端子部６０４が設けられる。この出力端子部６０４は、たとえば、コネクタで構成される。出力端子部６０４には、ＤＭＤ４０から延びるケーブル４０１が接続されており、ケーブル４０１を介してＤＭＤ４０へＤＭＤ駆動信号が送られる。
【００６０】
ＬＥＤ駆動回路７０は、本体キャビネット１０の左後角部（第２領域）に配置される。ＬＥＤ駆動回路７０は、所定のパターン配線が形成された基板上に各種の電装部品を実装
することにより構成される。
【００６１】
ＬＥＤ駆動回路７０の前方（前端部）には、３つの出力端子部７０１Ｒ、７０１Ｇ、７０１Ｂが設けられる。各出力端子部７０１Ｒ、７０１Ｇ、７０１Ｂには、それぞれ、対応する各光源２０１Ｒ、２０１Ｇ、２０１Ｂから延びるケーブル２０３Ｒ、２０３Ｇ、２０３Ｂが接続されており、これらケーブル２０３Ｒ、２０３Ｇ、２０３Ｂを介して各光源２０１Ｒ、２０１Ｇ、２０１ＢへＬＥＤ駆動信号（駆動電流）が送られる。
【００６２】
ここで、３つの光源２０１Ｒ、２０１Ｇ、２０１Ｂのうち、赤色光源２０１ＲがＬＥＤ駆動回路７０の最も近くに配置される。これにより、３つのケーブル２０３Ｒ、２０３Ｇ、２０３Ｂの中で、赤色光源２０１Ｒに対するケーブル２０３Ｒが最も短くなる。
【００６３】
なお、制御回路６０の出力端子部６０４は、ＤＭＤ４０同様、第１領域上部に配置される。一方、ＬＥＤ駆動回路７０は、３つ光源２０１Ｒ、２０１Ｇ、２０１Ｂと同様、第２領域下部に配置される。
【００６４】
本実施の形態では、高出力のＬＥＤ光源がパルス幅変調方式によって駆動されており、ＬＥＤ駆動回路７０では、比較的高い電流値による変調が行われる。このため、出力端子部７０１Ｒ、７０１Ｇ、７０１Ｂやケーブル２０３Ｒ、２０３Ｇ、２０３ＢにおいてＥＭＩノイズが発生しやすい。このＥＭＩノイズが、制御回路６０の出力端子部６０４からケーブル４０１へと流れるＤＭＤ駆動信号に重畳されると、ＤＭＤ４０の駆動が不安定となり、投写画像の画質が劣化する惧れがある。
【００６５】
本実施の形態では、制御回路６０の出力端子部６０４が、第１領域最端部の上部位置に、ＬＥＤ駆動回路７０が第２領域下部にそれぞれ配される。即ち、両者が、本体キャビネット１０の底面上において、二次元的に対角の位置に配置される。また、両者が、本体キャビネット１０の内部空間において、三次元的にも対角の位置に配置される。よって、本実施の形態では、制御回路６０の出力端子部６０４を、ＬＥＤ駆動回路７０から極力離すことができる。即ち、ＬＥＤ駆動回路７０で発生したＥＭＩノイズが、出力端子部６０４からＤＭＤ４０へ出力されるＤＭＤ駆動信号に重畳されにくい。したがって、ＥＭＩノイズによる画質の劣化を抑制することができる。
【００６６】
図５は、赤色光源２０１Ｒ、緑色光源２０１Ｇおよび青色光源２０１Ｂの発光特性を示す図である。図中の実線は赤色光源２０１Ｒの特性を示し、破線は緑色光源２０１Ｇおよび青色光源２０１Ｂの特性を示す。グラフの横軸は発散角度を示し、縦軸は光の強度を示す。
【００６７】
図５に示すように、赤色光源２０１Ｒは、光の拡がり角が他の２つの光源２０１Ｇ、２０１Ｂより大きい。このため、光がレンズに取り込まれにくく、導光光学系３０での損失が大きい。このため、赤色光源２０１Ｒへの駆動電流を、他の２つの光源２０１Ｇ、２０１Ｂに比べて大きくする必要があり、大きな駆動電流が流れる赤色光源用のケーブル２０３Ｒにおいて大きなＥＭＩノイズが発生しやすい。
【００６８】
本実施の形態では、赤色光源２０１ＲがＬＥＤ駆動回路７０の最も近くに配置されており、３つのケーブル２０３Ｒ、２０３Ｇ、２０３Ｂの中で、赤色光源２０１Ｒに対するケーブル２０３Ｒが最も短くされる。これにより、最も大きなＥＭＩノイズが発生しやすいケーブル２０３ＲでのＥＭＩノイズを低減することができる。よって、全体として、ケーブル２０３Ｒ、２０３Ｇ、２０３Ｂで発生するＥＭＩノイズを低減することができる。
【００６９】
さらに、本実施の形態では、投写光学ユニット５０が、レンズユニット５０１と、レン
ズユニット５０１の出射面側に設けられた曲面ミラー５０２とにより構成とされる。このため、投写光学ユニット５０は、前後方向に長くなり、第１および第４領域に亘って配置される。したがって、レンズユニット５０１の側方に光源装置２０が配置されても、曲面ミラー５０２の側方、即ち、第２領域に広いスペースが生じやすい。ＤＭＤ４０は、レンズユニット５０１の入射面側に配置され、通常、その近くに出力端子部６０４が配置される。このため、出力端子部６０４は、第１領域最端部に配置されることとなる。よって、第２領域にＬＥＤ駆動回路７０を配置することにより、ＬＥＤ駆動回路７０を、出力端子部６０４と対角となるように円滑に配置することができる。
【００７０】
＜変更例１＞
図６は、変更例１に係るプロジェクタの構成を示す図（平面図）である。
【００７１】
本変更例に係るプロジェクタでは、ＬＥＤ駆動回路７０と制御回路６０の出力端子部６０４との間に、電磁波を遮蔽する電磁シールド部８０が配置される。電磁シールド部８０は、たとえば、フェライトやアモルファス金属からなるシート状のシールド材やメッシュ状の樹脂シートに銀をコーティングしてなるシールド材で構成される。このようなシート状のシールド材を板部材に張り付けることによって、ＬＥＤ駆動回路７０と出力端子部６０４との間に電磁シールド部８０が配置される構成とすると良い。あるいは、投写光学ユニット５０のハウジング５０３の側面や導光光学系３０の各構成部品を保持するハウジング（図示せず）の側面にシート状のシールド材を張り付けても良い。
【００７２】
このような構成とすれば、ＬＥＤ駆動回路７０から出力端子部６０４へ向かうＥＭＩノイズが遮蔽されるので、出力端子部６０４から出力されるＤＭＤ駆動信号にＥＭＩノイズが重畳されるのを一層抑制することができる。
【００７３】
＜変更例２＞
図７は、変更例２に係る光源装置２０および導光光学系３０の構成について説明するための図である。図７（ａ）は、上記実施の形態に係る光源装置２０と導光光学系３０の一部を模式的に示す図であり、図７（ｂ）、（ｃ）は、変更例２に係る光源装置２０と導光光学系３０の一部を模式的に示す図である。また、図７には、各光源２０１Ｒ、２０１Ｇ、２０１ＢとＬＥＤ駆動回路７０との位置関係を示すため、ＬＥＤ駆動回路７０が模式的に示されている。
【００７４】
図７（ａ）に示す上記実施の形態に係る光源装置２０および導光光学系３０の構成に替えて、図７（ｂ）、（ｃ）に示す構成を用いることもできる。
【００７５】
図７（ｂ）に示す光源装置２０では、赤色光源２０１Ｒ、緑色光源２０１Ｇおよび青色光源２０１Ｂが、一つのヒートシンク２１１の一面に所定の間隔で配置される。また、導光光学系３０は、図７（ａ）に示すダイクロイックプリズム３０３および中空ロッド３０４に替えて、ミラー３１１と、２つのダイクロイッミラー３１２、３１３と、中空ロッド３１４と、リレーレンズ３１５とを備える。
【００７６】
ダイクロイックミラー３１２は、Ｒ光を透過し、Ｇ光を反射する。ダイクロイックミラー３１３は、Ｂ光を透過し、Ｒ光およびＧ光を反射する。中空ロッド３１４は、入射端面側から出射端面側に向かって断面積が小さくなるテーパ形状を有する。
【００７７】
赤色光源２０１Ｒから出射されたＲ光は、第１レンズ３０１Ｒおよび第２レンズ３０２Ｒによって平行光化され、ミラー３１１によって反射される。Ｒ光は、ダイクロイックミラー３１２を透過し、ダイクロイックミラー３１３によって反射されて中空ロッド３１４に入射する。
【００７８】
緑色光源２０１Ｇから出射されたＧ光は、第１レンズ３０１Ｇおよび第２レンズ３０２Ｇによって平行光化され、ダイクロイックミラー３１２によって反射される。Ｇ光は、ダイクロイックミラー３１３で反射されて中空ロッド３１４に入射する。
【００７９】
青色光源２０１Ｂから出射されたＢ光は、第１レンズ３０１Ｂおよび第２レンズ３０２Ｂによって平行光化され、ダイクロイックミラー３１３を透過して中空ロッド３１４に入射する。
【００８０】
Ｒ光、Ｇ光およびＢ光は、中空ロッド３１４の作用により、出射端面における照度分布が均一化される。中空ロッド３１４から出射されたＲ光、Ｇ光およびＢ光は、リレーレンズ３１５を通ってミラー３０５へ向かう。その後、Ｒ光、Ｇ光およびＢ光は、上記実施の形態と同様にして、ＤＭＤ４０へと導かれる。
【００８１】
次に、図７（ｃ）に示す光源装置２０では、赤色光源２０１Ｒが、ヒートシンク２２１の一面に配置されており、緑色光源２０１Ｇおよび青色光源２０１Ｂが、ヒートシンク２２２の一面に所定の間隔で配置される。赤色光源２０１Ｒは、緑色光源２０１Ｇおよび青色光源２０１Ｂに対して、ほぼ垂直な向きを有する。また、導光光学系３０は、図７（ａ）に示すダイクロイックプリズム３０３および中空ロッド３０４に替えて、２つのダイクロイッミラー３２１、３２２と、フライアイレンズ３２３と、コンデンサレンズ３２４とを備える。ダイクロイックミラー３２１は、Ｒ光を透過し、Ｇ光を反射する。ダイクロイックミラー３２２は、Ｂ光を透過し、Ｒ光およびＧ光を反射する。フライアイレンズ３２３は一対のレンズからなり、各レンズは蠅の目状に配列された多数のレンズセルから構成される。
【００８２】
赤色光源２０１Ｒから出射されたＲ光は、第１レンズ３０１Ｒおよび第２レンズ３０２Ｒによって平行光化され、ダイクロイックミラー３２１を透過する。Ｒ光は、ダイクロイックミラー３２２で反射されてフライアイレンズ３２３に入射する。
【００８３】
緑色光源２０１Ｇから出射されたＧ光は、第１レンズ３０１Ｇおよび第２レンズ３０２Ｇによって平行光化され、ダイクロイックミラー３２１で反射される。Ｇ光は、ダイクロイックミラー３２２で反射されてフライアイレンズ３２３に入射する。
【００８４】
青色光源２０１Ｂから出射されたＢ光は、第１レンズ３０１Ｂおよび第２レンズ３０２Ｂによって平行光化され、ダイクロイックミラー３２２を透過してフライアイレンズ３２３に入射する。
【００８５】
Ｒ光、Ｇ光およびＢ光は、フライアイレンズ３２３の各レンズセルによって分割され、分割された光がコンデンサレンズ３２４によりＤＭＤ４０に重畳される。これにより、ＤＭＤ４０に照射されるＲ光、Ｇ光およびＢ光の照度分布が均一化される。
【００８６】
コンデンサレンズ３２４から出射されたＲ光、Ｇ光およびＢ光は、ミラー３０５へ向かい、上記実施の形態と同様にして、ＤＭＤ４０へと導かれる。
【００８７】
なお、これら図７（ｂ）、（ｃ）の構成においても、ＬＥＤ駆動回路７０に最も近くなるように、赤色光源２０１Ｒが配置される。このため、上記実施の形態と同様、ケーブル２０３Ｒ（図７では図示省略されている）で発生するＥＭＩノイズを低減することができる。
【００８８】
なお、図７（ａ）の構成において、中空ロッド３０４に替えて、図７（ｂ）の中空ロッ
ド３１４とリレーレンズ３１５からなる構成や図７（ｃ）のフライアイレンズ３２３とコンデンサレンズ３２４からなる構成を用いることができる。また、図７（ｂ）の構成において、中空ロッド３１４とリレーレンズ３１５からなる構成に替えて、図７（ａ）の中空ロッド３０４や図７（ｃ）のフライアイレンズ３２３とコンデンサレンズ３２４からなる構成を用いることができる。さらに、図７（ｃ）の構成において、フライアイレンズ３２３とコンデンサレンズ３２４からなる構成に替えて、図７（ａ）の中空ロッド３０４や図７（ｂ）の中空ロッド３１４とリレーレンズ３１５からなる構成を用いることができる。
【００８９】
さらに、インテグレータとして、中空ロッドに替えてガラスロッドインテグレータ（中実のロッドインテグレータ）を用いるようにしても良い。また、ヒートシンクに替えて冷却ジャケットを用い、冷却ジャケット内に冷却液を供給することにより、各光源２０１Ｒ、２０１Ｇ、２０１Ｂを冷却するようにしても良い。
【００９０】
＜その他＞
以上、本発明の実施形態について説明したが、本発明は上記実施の形態によって何ら制限されるものではなく、また、本発明の実施形態も上記の他に種々の変更が可能である。
【００９１】
たとえば、上記実施の形態では、各光源２０１Ｒ、２０１Ｇ、２０１Ｂに、ＬＥＤ光源が用いられているが、これに限らず、レーザ光源が用いられても良い。
【００９２】
また、上記実施の形態では、パルス幅変調方式（ＰＷＭ）によって各光源２０１Ｒ、２０１Ｇ、２０１Ｂを駆動するようにしているが、これに限らず、パルス振幅波形変調方式（ＰＡＭ）によって各光源２０１Ｒ、２０１Ｇ、２０１Ｂを駆動するようにしても良い。
【００９３】
さらに、上記実施の形態では、制御回路６０の出力端子部６０４が本体キャビネット１０の上部に配置され、ＬＥＤ駆動回路７０が本体キャビネット１０の下部に配置されることにより、両者が、本体キャビネット１０の内部空間において、三次元的に対角の位置に配置されている。しかしながら、両者の高さ位置は同じとされても良く、少なくとも、両者が、本体キャビネット１０の底面上（取付面上）において、二次元的に対角の位置に配置されていればよい。勿論、両者が三次元的に対角の位置に配置することにより、両者の距離を最も離すことができるので、他に配置の制約等がなければ、両者を三次元的に対角の位置に配置することが望ましい。
【００９４】
この他、本発明の実施形態は、特許請求の範囲に示された技術的思想の範囲内において、適宜、種々の変更が可能である。
【符号の説明】
【００９５】
１０  本体キャビネット
２０  光源装置
２０１Ｒ  赤色光源（光源）
２０１Ｇ  緑色光源（光源）
２０１Ｂ  青色光源（光源）
３０  導光光学系（導光光学部）
４０  ＤＭＤ（光変調素子）
５０  投写光学ユニット（投写光学部）
５０１  レンズユニット
５０２  曲面ミラー
６０  制御回路
６０３  ＤＭＤ駆動回路（変調素子駆動部）
６０４  出力端子部（出力部）
７０  ＬＥＤ駆動回路（光源駆動部）
８０  電磁シールド部（遮蔽部）
【図１】
2011227402.tif 000003
【図２】
2011227402.tif 000004
【図３】
2011227402.tif 000005
【図４】
2011227402.tif 000006
【図５】
2011227402.tif 000007
【図６】
2011227402.tif 000008
【図７】
2011227402.tif 000009